(57)【要約】  除細動器は、除細動器ショックを生成するのに適した放電レートをコンデンサに提供するよう構成される第１の電池１２を含む。電源１６は、上記第１の電池より大きい容量を持つ。電源制御モジュール１４は、上記第１の電池及び上記電源に結合され、充電時間を減らすため、上記第１の電池及び上記電源の少なくとも１つからのフィードバックに基づき、上記第１の電池及び上記電源の間の接続、及び上記第１の電池及び上記電源の各々から上記コンデンサへの接続を選択的にイネーブルにするよう構成される。
2016518954.tif 000002
【特許請求の範囲】
【請求項１】
除細動器であって、
除細動器ショックを生成するのに適した放電レートをコンデンサに提供するよう構成される第１の電池と、
前記第１の電池より大きい容量を持つ電源と、
前記第１の電池及び前記電源に結合され、充電時間を減らすため、前記第１の電池及び前記電源の少なくとも１つからのフィードバックに基づき、前記第１の電池及び前記電源の間の接続、並びに前記第１の電池及び前記電源の各々から前記コンデンサへの接続を選択的にイネーブルにするよう構成される電源制御モジュールとを有する、除細動器。
【請求項２】
前記電源が、第２の電池を含む、請求項１に記載の除細動器。
【請求項３】
前記電源が、直流ソース及び交流ソースの１つを含む、請求項１に記載の除細動器。
【請求項４】
前記電源制御モジュールが前記第１の電池及び前記電源の間の接続、並びに前記第１の電池及び前記電源の各々から前記コンデンサへの接続を選択的にイネーブル又はディスエーブルにするよう構成されるコントローラを含む、請求項１に記載の除細動器。
【請求項５】
前記電源制御モジュールが、前記第１の電池及び前記電源からのフィードバックを受信して、前記コンデンサの充電レートを上昇させるようエネルギー源の構成を調整する、請求項１に記載の除細動器。
【請求項６】
前記電源が、前記第１の電池を充電するよう構成される、請求項１に記載の除細動器。
【請求項７】
前記電源制御モジュールにより制御される１つ又は複数の追加的な電池を更に有する、請求項１に記載の除細動器。
【請求項８】
前記電源制御モジュールが、前記コンデンサからのフィードバックを受信して、前記接続を選択的にイネーブルにする、請求項１に記載の除細動器。
【請求項９】
除細動器であって、
除細動器ショックを生成するのに適した放電レートをコンデンサに提供するよう構成される第１の電池と、
前記第１の電池より大きい容量を持つ第２の電池と、
前記第１の電池及び前記第２の電池の間に結合され、充電時間を減らし、放電後の回復レートを増加させるため、前記第１の電池及び前記第２の電池の間の接続、並びに前記第１の電池及び前記第２の電池の各々から前記コンデンサへの接続を選択的にイネーブルにするよう構成される電源制御モジュールと、
前記電源制御モジュール及び前記コンデンサに結合され、ショック供給デバイスに対する前記コンデンサの放電を可能にする供給回路であって、前記コンデンサの状態に関するフィードバックを前記電源制御モジュールに提供する供給回路とを有する、除細動器。
【請求項１０】
前記電源制御モジュールが、前記第１の電池及び前記第２の電池の間の接続、並びに前記第１の電池及び前記第２の電池の各々から前記コンデンサへの接続を選択的にイネーブル又はディスエーブルにするよう構成されるコントローラを含む、請求項９に記載の除細動器。
【請求項１１】
前記電源制御モジュールが、前記供給回路を通して前記コンデンサからのフィードバックを受信して、前記コンデンサの充電レートを上昇させるようエネルギー源の構成を調整する、請求項９に記載の除細動器。
【請求項１２】
前記電源制御モジュールが、前記供給回路を通して前記第１の電池及び前記第２の電池からのフィードバックを受信して、前記コンデンサの充電レートを上昇させるようエネルギー源の構成を調整する、請求項９に記載の除細動器。
【請求項１３】
前記第２の電池が、前記第１の電池を充電するよう構成される、請求項９に記載の除細動器。
【請求項１４】
前記電源制御モジュールにより制御される１つ又は複数の追加的な電池を更に有する、請求項９に記載の除細動器。
【請求項１５】
除細動器を充電する方法において、
除細動器ショックを生成するのに適した放電レートをコンデンサに提供するよう構成される第１の電池と、前記第１の電池より大きい容量を持つ電源と、前記第１の電池及び前記電源に結合され、前記第１の電池及び前記電源の間の接続、並びに前記第１の電池及び前記電源の各々から前記コンデンサへの接続を選択的にイネーブルにするよう構成される電源制御モジュールとを提供するステップと、
前記コンデンサの充電時間を減らすため、前記第１の電池及び前記電源の少なくとも１つからのフィードバックに基づき、前記接続を選択的にイネーブルにする前記電源制御モジュールにより前記コンデンサを充電するステップとを有する、方法。
【請求項１６】
前記電源が、前記電源制御モジュールに基づき、前記第１の電池を充電するよう構成される第２の電池を含む、請求項１４に記載の方法。
【請求項１７】
前記電源が、直流ソース及び交流ソースの１つを含む、請求項１４に記載の方法。
【請求項１８】
前記コンデンサの充電速度を改善するため、前記第１の電池及び前記電源の間の接続、並びに前記第１の電池及び前記電源の各々から前記コンデンサへの接続を選択的にイネーブル又はディスエーブルにするステップを更に有する、請求項１４に記載の方法。
【請求項１９】
前記コンデンサ、前記第１の電池及び前記電源の少なくとも１つからのフィードバックを前記電源制御モジュールで受信して、前記コンデンサの充電レートを上昇させるようエネルギー源の構成を調整するステップを更に有する、請求項１４に記載の方法。
【請求項２０】
（ｉ）前記電源制御モジュールにより１つ又は複数の追加的な電池を制御するステップ、又は（ｉｉ）ショック供給デバイスを通して前記コンデンサを放電することによりショックを供給するステップの少なくとも１つを更に有する、請求項１４に記載の方法。
【発明の詳細な説明】
【技術分野】
【０００１】
本開示は、医療器具に関し、より詳細には急速充電除細動器に関する。
【背景技術】
【０００２】
救命ショックを供給するため、突然の心停止を経験する患者に対して迅速に搬送されることができるよう、体外式除細動器は、ポータブルであることを必要とする。除細動器は概して、バッテリーパワーで作動する。ショックを供給するため、除細動器は、コンデンサを高電圧に、概して２０００ボルト以上に充電する。電池の放電レートに関する限界により、コンデンサを充電するには、５から８秒又はこれ以上を必要とすることがある。突然の心停止後、生存の可能性は毎分１０％〜１５％低下する。患者を蘇生させるには、複数のショックが必要とされる場合もある。
【発明の概要】
【発明が解決しようとする課題】
【０００３】
電池の放電レートは、容量の分数として特定される。従って、２２００ミリアンペア時容量で、最大放電レートが１倍容量（１Ｃ）に関して設計される標準的なリチウムイオン電池セルは、２．２アンペアのピーク放電電流を供給することができる。容量に関して最適化されるリチウムイオン電池は、短い期間で２Ｃ又は３Ｃのピーク電流を処理することができる。しかしながら安全性に関して、最大電流出力は通常、１Ｃ又は１．５Ｃに制限される。
【課題を解決するための手段】
【０００４】
本原理によれば、除細動器が、除細動器ショックを生成するのに適した放電レートをコンデンサに提供するよう構成される第１の電池を含む。電源は、上記第１の電池より大きい容量を持つ。電源制御モジュールは、上記第１の電池及び上記電源に結合され、充電時間を減らすため、上記第１の電池及び上記電源の間の接続、及び上記第１の電池及び上記電源の各々から上記コンデンサへの接続を選択的にイネーブルにするよう構成される。
【０００５】
別の除細動器は、除細動器ショックを生成するのに適した放電レートをコンデンサに提供するよう構成される第１の電池を含む。第２の電池は、上記第１の電池より大きい容量を持つ。電源制御モジュールは、上記第１の電池及び上記第２の電池の間に結合され、充電時間を減らし、放電後の回復レートを増加させるため、上記第１の電池及び上記第２の電池の間の接続、及び上記第１の電池及び上記第２の電池の各々から上記コンデンサへの接続を選択的にイネーブルにするよう構成される。供給回路は、上記電源制御モジュール及び上記コンデンサに結合され、ショック供給デバイスに対する上記コンデンサの放電を可能にするよう構成される。この供給回路は、上記コンデンサの状態に関するフィードバックを上記電源制御モジュールに提供する。
【０００６】
除細動器を充電する方法が、除細動器ショックを生成するのに適した放電レートをコンデンサに提供するよう構成される第１の電池と、上記第１の電池より大きい容量を持つ電源と、上記第１の電池及び上記電源に結合され、上記第１の電池及び上記電源の間の接続、及び上記第１の電池及び上記電源の各々からの接続を選択的にイネーブルにするよう構成される電源制御モジュールとを提供するステップと、上記コンデンサの充電時間を減らすため、上記第１の電池及び上記電源の少なくとも１つからのフィードバックに基づき、上記接続を選択的にイネーブルにする上記電源制御モジュールにより上記コンデンサを充電するステップとを含む。
【図面の簡単な説明】
【０００７】
【図１】一実施形態によるデュアルソース除細動器を示すブロック／フロー図である。
【図２】一実施形態によるデュアルソース除細動器に関する電源コントロール回路又はモジュールを示すブロック／フロー図である。
【図３】例示的な実施形態による除細動器を充電する方法を示すフロー図である。
【発明を実施するための形態】
【０００８】
本開示におけるこれら及び他の目的、特徴及び利点は、添付の図面と共に参照される、その説明的な実施形態の以下の詳細な説明から明らかになる。
【０００９】
本開示は、以下の図面を参照して好ましい実施形態の以下の説明を詳細に提供する。
【００１０】
本原理によれば、高放電レートの電池技術が、除細動器充電時間を８倍以上減らすために使用される。これは、１秒未満でそのコンデンサを充電することができる除細動器をもたらす。高放電レート電池はより低い全体の充電容量を持つので、この高放電レート電池は、除細動器に関する長い電池動作時間を提供するため、標準的な放電レートの電池で補足されることができる。
【００１１】
高放電レート電池は、極めて速いコンデンサ充電時間を実現する。高容量電池と高放電レート電池とを組み合わせる除細動器の複数の例示的な実施形態が存在する。入院前の使用に対して、高容量セルを持つ第２の電池が他の動作に電力供給し、より長い実行時間を提供しつつ、高放電レート電池が、コンデンサを充電するために用いられることができる。必要とされる実行時間がより短い病院での使用に対しては、高放電レート電池が、デバイスを作動させ、及びコンデンサを充電する両方のために用いられることができる。除細動器コンデンサを充電するのに必要な時間を明らかに減らすべく、除細動器に電力供給するため高容量電池の代わりに高放電レート電池が用いられる。その結果、ショックがより急速に患者に供給されることができる。バッテリ容量は、放電レートと共に変化する。従って、高放電レート電池は、標準的な放電レート電池より低い容量を持つ。高放電レート電池の減らされた容量を補償するべく、コンデンサを充電しないとき拡張された実行時間を提供するため、高容量を持つ第２の電池が用いられることができる。
【００１２】
例えば、容量に関して最適化された標準的な２２００ミリアンペア時リチウムイオンセルの４シリアル／３パラレル構成を持つ１２バッテリパックは、数秒間約１１アンペアの最大電流を安全に放電することができる。これは、２００Ｊショックに関して約４秒で又は３６０Ｊショックに関して約７秒で除細動器コンデンサを充電するのに充分なパワーである。この種のバッテリパックは、約６．６アンペア時容量を提供する。
【００１３】
電源に関して最適化されたリチウムイオンセルは、３０Ｃ〜４０Ｃのパルス化された電流を供給することができる。従って、放電レートに関して最適化された４シリアルのリチウムイオンセルを持つかなり小さいバッテリパックでさえ、約４０アンペアの最大電流で放電することができる。これは、２００Ｊショックに関して約１秒で除細動器コンデンサを充電するのに充分なパワーである。欠点は、この種のバッテリパックは、約１．６アンペア時容量しか提供しない点にある。本原理は、これらの問題に対処する。
【００１４】
本発明は、医療器具に関して説明されるが、本発明の教示は、かなり広く、短い期間でより高い電流を引く必要がある任意の電池式デバイスに対して適用できる点も理解されたい。いくつかの実施形態において、本原理は、病院、緊急車両、家、又は公共の場所等において使用される除細動器に採用される。図面に示される要素は、ハードウェア及びソフトウェアの様々な組合せにおいて実現されることができ、単一の要素又は複数の要素において組み合わせられることができる機能を提供することができる。
【００１５】
図面に示されるさまざまな要素の機能は、専用のハードウェアの使用を介してというだけでなく、適切なソフトウェアに関連してソフトウェアを実行することができるハードウェアの使用を介して与えられることができる。プロセッサ又はコントローラにより提供されるとき、この機能は、単一の専用プロセッサにより、単一の共有プロセッサにより、又は複数の個別のプロセッサにより与えられることができる。個別のプロセッサの幾つかは、共有されることができる。更に、「プロセッサ」又は「コントローラ」という用語の明確な使用は、ソフトウェアを実行することができるハードウェアを排他的に参照するものとして解釈されるべきではなく、デジタル信号プロセッサ（「ＤＳＰ」）ハードウェア、ソフトウェアを格納する読出し専用メモリ（「ＲＯＭ」）、ランダムアクセスメモリ（「ＲＡＭ」）及び不揮発性ストレージを暗に含むが、これらに限定されるものではない。
【００１６】
更に、本発明の原理、側面及び実施形態並びにその特別の実施例を述べる本書におけるすべての記載は、その構造的及び機能的均等の範囲の両方を含むものとして意図される。更に、斯かる均等物が、現在既知の均等物だけでなく将来開発される均等物の両方を含むものとして意図される（即ち、構造に関係なく、同じ機能を実行すべく開発される任意の要素を含む）。従って、例えば、本願明細書に与えられるブロック図は、本発明の原理を実現する説明的なシステム要素及び／又は回路の概念表示を表すという点を当業者は理解されたい。同様に、任意のフローチャート、流れ図等は、コンピュータ可読記憶媒体において実質的に表されるさまざまな処理を示し、従って、コンピュータ又はプロセッサが明示的に示されるかどうかに関係なく、斯かるコンピュータ又はプロセッサにより実行される点を理解されたい。
【００１７】
更に、本発明の実施形態は、コンピュータ若しくは任意の命令実行システムによる使用又はこれに関連した使用のためのプログラムコードを提供する、計算機が使用可能な又はコンピュータ可読のストレージ媒体から、アクセス可能なコンピュータプログラムの形をとる又はこれを含むことができる。この説明のため、計算機が使用可能な又はコンピュータ可読のストレージ媒体は、命令実行システム、装置又はデバイスによる使用又はこれに関連した使用のためのプログラムを、包含、格納、通信、伝搬、又は輸送することができる任意の装置とすることができる。媒体は、電気、磁気、光学、電磁気、赤外線若しくは半導体システム（又は、装置若しくはデバイス）、又は伝搬媒体とすることができる。コンピュータ可読媒体の例は、半導体又はソリッドステートメモリ、磁気テープ、リムーバブルコンピュータディスケット、ランダムアクセスメモリ（ＲＡＭ）、読出し専用メモリ（ＲＯＭ）、リジッド磁気ディスク及び光学ディスクを含む。光ディスクの現在の例は、コンパクトディスク読出し専用メモリ（ＣＤ−ＲＯＭ）、コンパクトディスクリード／ライト（ＣＤ−Ｒ／Ｗ）、Ｂｌｕ−ｒａｙ（登録商標）及びＤＶＤを含む。
【００１８】
ここで、同様な数字が同じ又は類似する要素を表す図面を参照し、まず最初に図１を参照すると、ブロック／フロー図が、一実施形態による除細動器１０を示す。除細動器１０は、高放電レート電池１２及び高容量電源１６を含む。エネルギー源（１２、１６）のタイプ及び使用の選択は、除細動器電源制御回路１４により決定及び制御される。治療供給回路２０は、ショック供給デバイス２４に供給されるエネルギー量及びパルスの形状を制御する。このデバイスは、パッド又はパドルを含むことができる。治療供給回路２０は、その充電及び放電を可能にするため、治療コンデンサ２２に対するアクセスを提供する。除細動器１０は、他の電子機器又はソフトウェアプログラム１８を含むことができる。電子機器１８は、例えばクロック、タイマー、電源測定デバイス、光、ディスプレイ等といった他の特徴を含むことができる。
【００１９】
除細動器１０がショックを供給する必要があるとき、治療供給回路２０は、高放電レート電池１２から電流を送ることにより、治療コンデンサ２２を充電する。ユーザがエネルギーのリリースを始動するとき、治療コンデンサ２２に格納されたエネルギーが、患者の胸部に置かれるパッド又はパドル２４を介して放出される。電源制御回路１４は、利用できる電源、電池１２及び／又は高容量電源１６から電力を送る。除細動器１０に関する電源は、高放電レート電池１２により供給される。この電池１２は、第２の電源１６により充電される。これは、高容量電池（又はＡＣ又はＤＣ充電器）を含むことができる。
【００２０】
高放電レート電池１２は、除細動器１０に電力を供給し、コンデンサ２２を充電するために用いられる。コンデンサ２２は、電池１２のより高い電流出力を用いて充電される。コンデンサ２２は、高容量電池１６（又はＡＣ又はＤＣチャージャ）から充電されることもできる。
【００２１】
図２を参照すると、電源制御回路１４は、電池１２及び１６の各々の利用可能な容量を決定するよう構成される制御ソフトウェア又は回路コントローラ３０を含むことができ、コンデンサ２２の出力要件に基づき、バッテリ端子に対するアクセスを制御することができる（図１）。電池又はエネルギー源１２、１６は、それぞれデータインタフェース３５、３７も提供する。その結果、それらの電流充電レベル及び他の状態がコントローラ３０により読み出されることができる。コンデンサ２２がどれくらい迅速に充電若しくは再充電しているかを電源制御回路１４が決定する、又は将来の使用に関して電池１２、１６の機能を電源制御回路１４が決定することを可能にするよう、コンデンサ２２及び／又は電池１２、１６は、電源制御回路１４にフィードバック３３を提供する。
【００２２】
制御回路又はモジュール３０に送られるデータは、電源の電池の容量／電荷量／状態を搬送するよう構成されるデータビット又は他の信号を含むことができる。データは、コンデンサ３３からの充電レートを含むこともできる。制御モジュール３０に格納されるルックアップテーブル又は他のデータ構造に基づく決定をするため、入力又はフィードバック情報が使用されることができる。データは、接続がイネーブル／ディスエーブルであるかを決定するため、又は電源の間の電源分布を他の態様で制御するため、データ構造に対してインデックス化されることができる。他の決定基準は、所与の状態、歴史的なデータ、人工知能などの下でプログラムされた処理を含むが、これに限定されず同様に使用されることができる。例えば、電池１２、１６における充電速度又は格納されたエネルギーに基づき、特にショックが展開されたあと、コントローラ３０は、電池１６から電池１２を再充電するか、電池１２から直接コンデンサを再充電するか、電池１６から直接コンデンサを再充電するか、又は、コンデンサ２２を再充電するため電池１２及び１６の両方を開放するかを選択する。両方のソースが明らかに異なる放電レートを含むとき、これらのソースの使用は困難になる。充電レギュレータ及び他の回路が、信号を調整するために使用されることができる。電池の利用できる電荷は、より重要な基準である。例えば、高い放出電池が低い電荷を持つ場合、それはコンデンサを完全に充電することができないかもしれない。その後、他の電源が、選択及び使用される。
【００２３】
ある実施形態において、コントローラ３０は、電池１２及び１６のいずれか又は両方からの電源出力３８を可能にするため、１つ又は複数のスイッチ３２、３４及び３６を選択的に作動させる。ある実施形態において、電池１６は、異なるＤＣソース又はＡＣソースさえ含むことができる。別の実施形態では、２つ以上の電池が存在し、各電池が、コントローラ３０を用いて選択的にイネーブルにされることができる。
【００２４】
有益な実施形態において、電池１２及び１６は、以下の１つ又は複数を含むことができる。例えばＣＧＲ１８６５０ＣＧといった標準的なリチウムイオン電池セルは、２，２００ｍＡｈの容量及び１Ｃの最大放電レートを持つ。一般に、これらのセルは、必要とされた電圧を実現するため直列に構成され（例えば、４Ｓは、１４．４Ｖの名目電圧を提供する）、トータル放電電流を増加させるため並列に構成される（例えば、３Ｐは、３Ｃ最大放電レートを提供する）。１２セル（４Ｓ３Ｐ）バッテリパックは、６．６のアンペア時の容量を提供し、２アンペアの最大放電を持つ（信頼性を改善するため、最大放電レートの性能を低下させる）。高放電レート電池セルは、電源ツール、リモコン模型車及び飛行機といった電気モータを駆動するのに高電流が必要とされるアプリケーションに関して設計される。例えばＡＰＲ１８６５０Ｍ１といった高放電レートのリチウムイオンセルは、１、１００ｍＡｈの容量を持つ。４セル（４Ｓ１Ｐ）バッテリパックは、１．１アンペア時の容量を提供し、３０アンペアの放電を確実に提供することができる。
【００２５】
その意図された使用に関して除細動器／モニタを最適化するため、図１に提示される要素の異なる組み合わせが採用されることができる。例示的な実施形態は、以下の通りである。電池１２は、他のデバイス機能に電力を供給するため、電池１６に関して１つ又は複数の８又は１２セル高容量電池（４Ｓ及び２Ｐ又は３Ｐのいずれか）に加えて、コンデンサ２２を充電する単一の４セル高放電レート電池（４Ｓ、１Ｐ）を含むことができる。８又は１２セル高放電レート電池（４Ｓ及び２Ｐ又は３Ｐのいずれか）（電池１２）は、電源１６に関してＡＣ又はＤＣ充電器に加えてすべてのデバイス機能に電力を供給するために使用されることができる。単一の４、８又は１２セル高放電レート電池（４Ｓ及び１Ｐ又は２Ｐ又は３Ｐのいずれか）（電池１２）は、高放電レート電池（１２）を充電するため、１つ又は複数の１０セル電池（５Ｓ、２Ｐ）（電池１６）に加えてデバイスに電力を供給するために使用されることができる。
【００２６】
本原理によれば、除細動器１０は、放電レートに関して最適化されたちょうど４シリアルのリチウムイオンセルを用いて、３０Ｃ〜４０Ｃのパルス化された電流を提供し、電池１２を用いて約３０アンペアの最大の電流で放電することができる。パルスの制御は、除細動器１０における供給回路２０又は他の回路により提供されることができる。これは、２００Ｊショックに関して約１秒で除細動器コンデンサを充電するのに十分なパワーである。除細動器１０は第２の電源１６を含むので、それは、より高い容量電池を含むことができる。この電池１６は、６．０アンペア時容量以上を提供することができ、第１の電池１２及び／又はコンデンサ２２を充電するのに十分である。
【００２７】
図３を参照すると、ブロック／フロー図が、本原理による除細動器を充電する方法を示す。ブロック１０２において、除細動器ショックを生成するのに適した放電レートをコンデンサに提供するよう構成される第１の電池と、第１の電池より大きい容量を持つ電源と、第１の電池及び電源に結合される電力制御モジュールとを持つデュアルソース除細動器が提供される。電源制御モジュールは、第１の電池及び電源の間の接続、及び第１の電池及び電源の各々からコンデンサへの接続を選択的にイネーブルにするよう構成される。ブロック１０４において、電源は、電源制御モジュールに基づき、第１の電池を充電するよう構成される第２の電池、直流ソース又は交流ソースを含むことができる。
【００２８】
ブロック１０６において、コンデンサは、コンデンサの電荷時間を減らすため、及び／又はコンデンサの放電後の回復レートを上昇させるため、電源制御モジュールに基づき充電される。ブロック１０８において、第１の電池と電源との間の接続、並びに第１の電池及び電源の各々からコンデンサへの接続は、コンデンサの充電レートを改善するため選択的にイネーブル又はディスエーブルされる。ブロック１１０において、コンデンサの充電レートを上昇させるためにエネルギー源（電池等）の構成を調整（例えば、最適化）するため、電源制御モジュールで、コンデンサ及び／又は電池からフィードバックが受信される。ブロック１１２において、１つ又は複数の追加的な電池が、電源制御モジュールにより制御される。最適化決定は、電源制御モジュールによりなされることができるか、又はメモリにおいて予めプログラムされることができ、電流状態に基づきなされる。
【００２９】
ブロック１１４において、ショック供給デバイスを介してコンデンサを放電することにより、ショックが供給される。後続のショックは、ブロック１１６において約１〜４秒ごとのレートで投与されることができる。
【００３０】
添付の特許請求の範囲を解釈するにあたり、以下の点を理解されたい。
【００３１】
ａ）「有する」という語は、所与の請求項に記載される要素又は行為以外の他の要素又は行為の存在を除外するものではない。
【００３２】
ｂ）ある要素に先行する「ａ」又は「ａｎ」という語は、斯かる要素が複数存在することを除外するものではない。
【００３３】
ｃ）請求項における任意の参照符号は、それらの範囲を制限するものではない。
【００３４】
ｄ）複数の「手段」が、同じアイテム、又はハードウェア、又はソフトウェア実現による構造体、又は機能により表されることができる。
【００３５】
ｅ）特に指定がない限り、行為の特定のシーケンスが必要とされること意図するものではない。
【００３６】
デュアル電池急速充電除細動器に関して上記の好ましい実施形態が説明されてきたが（これらは、説明目的であり限定するものではない）、上記の教示を考慮して当業者により修正及び変更がなされることができる点に留意されたい。従って、添付の特許請求の範囲により概説されて開示される実施形態の範囲に含まれるものとして、本開示の特定の実施形態において変更がなされることができる点を理解されたい。こうして、本開示の内容が特許法により必要とされる範囲で詳細に記載されてきたが、特許証により保護されることを望む保護の請求は、添付の特許請求の範囲に記載される。
【図１】
2016518954.tif 000003
【図２】
2016518954.tif 000004
【図３】
2016518954.tif 000005
【国際調査報告】
2016518954.tif 000006
2016518954.tif 000007